(57)【要約】      （修正有）【課題】既設建物の改装や修繕作業を行うにあたって、既設の天井材下地構成部材を撤去することなく、足場を設置することが可能な足場板架け渡し装置を提供する。【解決手段】天井部Ｓと、天井部Ｓより垂下される吊りボルト１の下端部１ａに取り付けられているハンガー２、野縁受け３、野縁４及び天井材５等からなる天井材下地構成部材６との間の既設の空隙部７を利用して、この空隙部７に露呈して隣り合う各吊りボルト１に、横側から係合可能な桟支持ブラケット９を取り付け、各桟支持ブラケット間にわたって、長尺な足場板架け渡し桟１０を取り付け、隣り合う足場板架け渡し桟間に長手方向に直交して足場板８を架け渡すようにした。【選択図】図１
0003206551.tif 000002
【実用新案登録請求の範囲】
【請求項１】
天井部と、天井部より垂下される吊りボルトの下端部に取り付けられているハンガー、野縁受け、野縁及び天井材等からなる天井材下地構成部材との間の既設の空隙部を利用して、この空隙部に足場板を架け渡す足場板架け渡し装置であって、
上記の空隙部に露呈して隣り合う各吊りボルトに、該吊りボルトの横側から係合可能な桟支持ブラケットを取り付け、隣り合う各吊りボルトに取り付けられた各桟支持ブラケット間にわたって、長尺な足場板架け渡し桟を取り付け、隣り合う吊りボルト間に桟支持ブラケットを介して取り付けた足場板架け渡し桟の長手方向に直交して隣り合う足場板架け渡し桟間に足場板を架け渡すようにした足場板架け渡し装置。
【請求項２】
上記桟支持ブラケットは、上横片と、縦片と、下横片と、これらの各片に囲繞された中空部を備え、該桟支持ブラケットの上横片及び下横片には、桟支持ブラケットが吊りボルトの一方の横側から吊りボルトに係合可能な横向きＵ字状のブラケット係合孔が貫設されて、桟支持ブラケットは、横向きＵ字状のブラケット係合孔を介して上記中空部を貫通する吊りボルトに係合され、更に上横片の上面側及び下横片の下面側に重合して、吊りボルトの他方の横側から上部座金及び下部座金が吊りボルトに係合可能な横向きＵ字状の座金係合孔が上部座金及び下部座金に貫設され、更に又、上部座金の上面側及び下部座金の下面側に重合して吊りボルトの横側から吊りボルトに挿入しねじ係合可能な上部割りナット及び下部割りナットが設けられ、しかして長尺な足場板架け渡し桟は、桟支持ブラケットの上記中空部に挿入されて該桟支持ブラケットに支持されると共に、上記中空部を貫通する吊りボルトに圧接して支持されるよう、足場板架け渡し桟を吊りボルト側に押圧する桟押しボルトが桟支持ブラケットの縦片に設けられた雌ねじ孔にねじ込まれてなる請求項１に記載の足場板架け渡し装置。
【請求項３】
前記上部座金には、該座金の吊りボルトに対する係合位置で該座金を桟支持ブラケットの上横片に掛合する下向き掛合突起が突設され、前記下部座金には，該座金の吊りボルトに対する係合位置で該座金を前記下横片に掛合する上向き掛合突起が突設されてなる請求項２に記載の足場板架け渡し装置。
【請求項４】
前記上部及び下部割りナットは、枢着部によって吊りボルトに挿入可能な開口状態と吊りボルトにねじ係合可能な吻合閉鎖状態とに回動可能に枢着される一対の分割ナット片からなり、一対の分割ナット片が吻合閉鎖したときはその状態を維持する掛合凹凸部が一対の分割ナット片の吻合閉鎖部に設けられてなる請求項２又は３に記載の足場板架け渡し装置。
【考案の詳細な説明】
【技術分野】
【０００１】
本考案は、既設建物の改装や修繕を行う場合に、天井部に存在する既設の空隙部を利用して、この空隙部に改装や修繕を行うための、例えば配線工事とか配管工事等の作業を行うための足場を設置することを目的とする。
【背景技術】
【０００２】
建物の天井部には吊りボルトによって天井材を取り付けるための天井材下地構成部材が吊持されている。したがって天井裏において既設建物の改装や修繕工事を行う場合に既設の天井材下地構成部材が存在するため、これらを撤去しないかぎり天井裏での改装工事等を行うことができない。
【０００３】
すなわち、従来では、これらの天井材をめくって天井材の下地である野縁受けや野縁を撤去して、天井裏に工事作業用の空隙部を形成するようにしていた。
このため、改装や修繕作業のための天井材下地構成部材の撤去等の面倒な手間や作業費用が高くつき、作業工期も多くなるという難点があった。
【考案の概要】
【考案が解決しようとする課題】
【０００４】
本考案は、上記従来技術に鑑み、既設建物の改装や修繕作業を行うにあたって、既設の天井材下地構成部材を撤去することなく、改装や修繕工事を行うための足場を設置することが可能な足場板架け渡し装置を提案するものである。
【課題を解決するための手段】
【０００５】
上記目的を達成するための手段を図面の参照符号を付して示せば、請求項１の考案に係る足場板架け渡し装置は、天井部Ｓと、天井部Ｓより垂下される吊りボルト１の下端部１ａに取り付けられているハンガー２、野縁受け３、野縁４及び天井材５等からなる天井材下地構成部材６との間の既設の空隙部７を利用して、この空隙部７に足場板８を架け渡す足場板架け渡し装置であって、上記の空隙部７に露呈して隣り合う各吊りボルト１，１に、該吊りボルト１の横側から係合可能な桟支持ブラケット９を取り付け、隣り合う各吊りボルト１，１に取り付けられた各桟支持ブラケット９，９間にわたって、長尺な足場板架け渡し桟１０を取り付け、隣り合う吊りボルト１，１間に桟支持ブラケット９，９を介して取り付けた足場板架け渡し桟１０の長手方向に直交して隣り合う足場板架け渡し桟１０，１０間に足場板８を架け渡すようにした構成からなるものである。
【０００６】
又、請求項２に係る考案は、上記桟支持ブラケット９は、上横片９ａと、縦片９ｂと、下横片９ｃと、これらの各片９ａ，９ｂ，９ｃに囲繞された中空部９ｄを備え、該桟支持ブラケット９の上横片９ａ及び下横片９ｃには、桟支持ブラケット９が吊りボルト１の一方の横側から吊りボルト１に係合可能な横向きＵ字状のブラケット係合孔１１が貫設されて、桟支持ブラケット９は、横向きＵ字状のブラケット係合孔１１を介して上記中空部９ｄを貫通する吊りボルト１に係合され、更に上横片９ａの上面側及び下横片９ｃの下面側に重合して、吊りボルト１の他方の横側から上部座金１２及び下部座金１３が吊りボルト１に係合可能な横向きＵ字状の座金係合孔１４が上部座金１２及び下部座金１３に貫設され、更に又、上部座金１２の上面側及び下部座金１３の下面側に重合して吊りボルト１の横側から吊りボルト１に挿入しねじ係合可能な上部割りナット１５及び下部割りナット１６が設けられ、しかして長尺な足場板架け渡し桟１０は、桟支持ブラケット９の上記中空部９ｄに挿入されて該桟支持ブラケット９に支持されると共に、上記中空部９ｄを貫通する吊りボルト１に圧接して支持されるよう、足場板架け渡し桟１０を吊りボルト１側に押圧する桟押しボルト１７が桟支持ブラケット９の縦片９ｂに設けられた雌ねじ孔１８にねじ込まれてなる請求項１に記載の構成からなるものである。
【０００７】
又、請求項３に係る考案は、前記上部座金１２には、該座金１２の吊りボルト１に対する係合位置で該座金１２を桟支持ブラケット９の上横片９ａに掛合する下向き掛合突起１９が突設され、前記下部座金１３には，該座金１３の吊りボルト１に対する係合位置で該座金１３を前記下横片９ｃに掛合する上向き掛合突起２０が突設されてなる請求項２に記載の構成からなるものである。
【０００８】
又、請求項４に係る考案は、前記上部及び下部割りナット１５，１６は、枢着部２１によって吊りボルト１に挿入可能な開口状態と吊りボルト１にねじ係合可能な吻合閉鎖状態とに回動可能に枢着される一対の分割ナット片２２，２３からなり、一対の分割ナット片２２，２３が吻合閉鎖したときはその状態を掛合維持する掛合凹凸部２２ａ，２３ａが一対の分割ナット片２２，２３の吻合閉鎖部に設けられてなる請求項２又は３に記載の構成からなるものである。
【考案の効果】
【０００９】
次に、本考案の効果について、図面の参照符号を付して説明する。請求項１の考案に係る足場板架け渡し装置によれば、天井部Ｓと、天井部Ｓより垂下される吊りボルト１の下端部１ａに取り付けられているハンガー２、野縁受け３、野縁４及び天井材５等からなる天井材下地構成部材６との間の既設の空隙部７を利用して、この空隙部７に足場板８を架け渡す足場板架け渡し装置を設置するものであるから、天井材下地構成部材６を撤去する必要がない。
【００１０】
すなわち、上記の空隙部７に露呈して隣り合う各吊りボルト１，１に、該吊りボルト１の横側から係合可能な桟支持ブラケット９を取り付け、隣り合う各吊りボルト１，１に取り付けられた各桟支持ブラケット９，９間にわたって長尺な足場板架け渡し桟１０を取り付け、隣り合う吊りボルト１，１間に桟支持ブラケット９，９を介して取り付けた足場板架け渡し桟１０の長手方向に直交する前後に隣り合って並列して取り付けた前後の足場板架け渡し桟１０，１０間にわたって足場板８を架け渡し載置するだけで、足場板８を既設の空隙部７に容易に設置することができ、足場板８での工事作業が終われば、足場板架け渡し桟１０を桟支持ブラケット９から取り外し、桟支持ブラケット９と吊りボルト１との係合を解けばよいから、足場板８の設置後の解体作業も容易迅速に行うことができる。
しかも、吊りボルト１に係合する桟支持ブラケット９と、該桟支持ブラケット９にその長手方向から挿入して取り付ける足場板架け渡し桟１０とを用意すればよいから足場板８を安価に空隙部７に設置することができる。
【００１１】
又、請求項２に係る考案によれば、上記桟支持ブラケット９は、上横片９ａと、縦片９ｂと、下横片９ｃと、これらの各片９ａ，９ｂ，９ｃに囲繞された中空部９ｄを備え、該桟支持ブラケット９の上横片９ａ及び下横片９ｃには、桟支持ブラケット９が吊りボルト１の一方の横側から吊りボルト１に係合可能な横向きＵ字状のブラケット係合孔１１が貫設されて、桟支持ブラケット９は、横向きＵ字状のブラケット係合孔１１を介して上記中空部９ｄを貫通する吊りボルト１に係合され、更に上横片９ａの上面側及び下横片９ｃの下面側に重合して、吊りボルト１の他方の横側から上部座金１２及び下部座金１３が吊りボルト１に係合可能な横向きＵ字状の座金係合孔１４が上部座金１２及び下部座金１３に貫設され、更に又、上部座金１２の上面側及び下部座金１３の下面側に重合して吊りボルト１の横側から吊りボルト１に挿入しねじ係合可能な上部割りナット１５及び下部割りナット１６が設けられるから、桟支持ブラケット９を吊りボルト１に横側から係合するにあたって、桟支持ブラケット９を吊りボルト１に係合すると共に、桟支持ブラケット９の上横片９ａと下横片９ｃとに重合して上部座金１２と下部座金１３とを吊りボルト１に係合させ、更に上部割りナット１５と下部割りナット１６とを吊りボルト１に係合させるようになっており、桟支持ブラケット９の吊りボルト１に対する一方側からの係合作用に加えて、吊りボルト１に対する他方側からの上下部座金１２，１３の係合作用および上下部割りナット１５，１６の係合作用の３者の係合作用によって、桟支持ブラケット９が吊りボルト１に係合されるようになっているため、桟支持ブラケット９を吊りボルト１に堅固に係合させることができる。
【００１２】
しかも、長尺な足場板架け渡し桟１０は、桟支持ブラケット９の中空部９ｄに挿入されて該桟支持ブラケット９に支持されると共に、上記中空部９ｄを貫通する吊りボルト１に圧接して支持されるよう、足場板架け渡し桟１０を吊りボルト１側に押圧する桟押しボルト１７が桟支持ブラケット９の縦片９ｂに設けられた雌ねじ孔１８にねじ込まれてなるため、足場板架け渡し桟１０は、桟支持ブラケット９の中空部９ｄ周囲の上横片９ａ及び下横片９ｃに接当して支持されると共に、足場板架け渡し桟１０は、桟支持ブラケット９の中空部９ｄを貫通する吊りボルト１と桟押しボルト１７とに挟まれて押圧支持されるから、足場板架け渡し桟１０は桟支持ブラケット９に強力に支持されることになる。
【００１３】
又、請求項３に係る考案によれば、吊りボルト１を挟んで、その一方側から吊りボルト１に係合される桟支持ブラケット９は、吊りボルト１を挟んで、その他方側から吊りボルト１に係合される上下部座金１２，１３が該座金１２，１３の吊りボルト１に対する係合位置で、該座金１２，１３を桟支持ブラケット９の上下横片９ａ，９ｃに掛合する下向き及び上向き掛合突起１９，２０が突設されるから、これら両下向き及び上向き掛合突起１９，２０の桟支持ブラケット９に対する掛合作用によって、上下部座金１２，１３を桟支持ブラケット９に強力に係合することができ、この面からも桟支持ブラケット９を吊りボルト１に強力に係合支持させることができる。
【００１４】
又、請求項４に係る考案によれば、前記上部及び下部割りナット１５，１６は、枢着部２１によって吊りボルト１に挿入可能な開口状態と吊りボルト１にねじ係合可能な吻合閉鎖状態とに回動可能に枢着される一対の分割ナット片２２，２３からなるため、前記上部及び下部割りナット１５，１６を吊りボルト１にその横側から容易に係合させることができると共に、一対の分割ナット片２２，２３が吻合閉鎖したときはその状態を掛合維持する掛合凹凸部２２ａ，２３ａが一対の分割ナット片２２，２３の吻合閉鎖部に設けられてなるため、上部及び下部割りナット１５，１６が吊りボルト１に係合しているときには、不測に吊りボルト１から係合作用を解くようなことはなく、安定して係合作用を維持することができる。
【図面の簡単な説明】
【００１５】
【図１】本考案に係る足場板架け渡し装置の使用状態を示す斜視図である。
【図２】同要部の分解斜視図である。
【図３】同要部の使用状態を示すもので、（ａ）は正面図、（ｂ）は（ａ）のＡーＡ線断面図、（ｃ）は平面図である。
【考案を実施するための形態】
【００１６】
以下に、本考案に係る足場板架け渡し装置の一実施形態について、図面を参照して具体的に説明すると、図１は、本考案に係る足場板架け渡し装置の使用状態を示すもので、天井部Ｓのインサート金具Ｓａに上端部が取り付けられて吊りボルト１が垂下して設けられ、図示では一本の吊りボルト１のみが垂下しているが、吊りボルト１は、当然に、図中左右方向適当間隔に、且つ左右方向に直交する前後方向に適当間隔に互いに隣り合って多数垂下して設けられている。
【００１７】
そして、天井部Ｓから垂下される各吊りボルト１の下端部１ａには周知のようにハンガー２がロックナット２４によって取り付けられ、該ハンガー２にＣ形チャンネル材からなる野縁受け３が取り付けられ、これに適宜取り付けられたボルト２５によって野縁受け３が離脱しないようにしており、野縁受け３にはこれに直交してクリップ２６によってリップ付きＣ形チャンネル材からなる野縁４が取り付けられ、該野縁４に天井材５が接着剤やビスによって装着されるようになっている。
【００１８】
これら天井材５を吊りボルト１に取り付けるためのハンガー２、野縁受け３、野縁４等からなる天井材下地構成部材６が、天井部Ｓから例えば１〜２ｍｍ下方の位置で取り付けられており、天井部Ｓと天井材下地構成部材６との間には上下間隔が１〜２ｍｍ程度の空隙部７が存在する。
【００１９】
本考案は、この既設の空隙部７を利用して、この空隙部７に足場板８を架け渡す足場板架け渡し装置を設置しようとするもので、天井部Ｓから垂下する吊りボルト１は、この空隙部７で露出しており、この空隙部７に露呈して隣り合う各吊りボルト１，１に、該吊りボルト１の横側から足場板架け渡し装置を設置するものであるから、天井材下地構成部材６を撤去する必要がない。
【００２０】
すなわち、上記空隙部７で露出して隣り合っている吊りボルト１にその横側から係合可能な桟支持ブラケット９を取り付け、隣り合う各吊りボルト１，１に取り付けられた各桟支持ブラケット９，９間にわたって、長尺な足場板架け渡し桟１０を取り付け、隣り合う吊りボルト１，１間に桟支持ブラケット９，９を介して取り付けた足場板架け渡し桟１０の長手方向に直交して隣り合う足場板架け渡し桟１０，１０間に足場板８を架け渡すようにした構成からなるものである。
【００２１】
具体的には、上記桟支持ブラケット９は、上横片９ａと、縦片９ｂと、下横片９ｃと、これらの各片９ａ，９ｂ，９ｃに囲繞された中空部９ｄを備え、該桟支持ブラケット９の上横片９ａ及び下横片９ｃには、桟支持ブラケット９が吊りボルト１の一方の横側から吊りボルト１に係合可能な横向きＵ字状のブラケット係合孔１１が貫設されており、図２に示すように、桟支持ブラケット９の横向きＵ字状のブラケット係合孔１１の開口部１１ａを吊りボルト１に横方向に嵌合し、係合部１１ｂを吊りボルト１に係合することによって、桟支持ブラケット９はブラケット係合孔１１を介して上記中空部９ｄを貫通する吊りボルト１に係合される。
【００２２】
更に桟支持ブラケット９の上横片９ａの上面側及び下横片９ｃの下面側に夫々重合して、吊りボルト１の他方の横側から上部座金１２及び下部座金１３を、それらに貫設してある横向きＵ字状の座金係合孔１４を、図２に示すように、桟支持ブラケット９の嵌合方向とは反対方向から、その開口部１４ａを吊りボルト１に横方向に嵌合し、係合部１４ｂを吊りボルト１に係合することによって、上下部座金１２及び１３は吊りボルト１に係合され、桟支持ブラケット９の吊りボルト１に対する係合作用を補強することになり、しかも、上下部座金１２，１３が該座金１２，１３の吊りボルト１に対する係合位置で、該座金１２，１３を桟支持ブラケット９の上下横片９ａ，９ｃに掛合する下向き及び上向き掛合突起１９，２０が突設されるから、これら両下向き及び上向き掛合突起１９，２０の桟支持ブラケット９に対する掛合作用によって、上下部座金１２，１３を桟支持ブラケット９に強力に係合することができ、この面からも桟支持ブラケット９を吊りボルト１に強力に係合支持させることができる。
【００２３】
更に又、上部座金１２の上面側及び下部座金１３の下面側に重合して吊りボルト１の横側から吊りボルト１に挿入しねじ係合可能な上部割りナット１５及び下部割りナット１６が設けられ、これら上下部割りナット１５，１６は、枢着部２１によって吊りボルト１に挿入可能な開口状態と吊りボルト１にねじ係合可能な吻合閉鎖状態とに回動可能に枢着される一対の分割ナット片２２，２３からなるため、前記上部及び下部割りナット１５，１６を吊りボルト１にその横側から容易に係合させることができる。
【００２４】
しかも、一対の分割ナット片２２，２３が吻合閉鎖したときは、その状態を掛合維持する掛合凹凸部２２ａ，２３ａが、図３の（ｂ）に示すように、一対の分割ナット片２２，２３の吻合閉鎖部に設けられてなるため、上部及び下部割りナット１５，１６が吊りボルト１に係合しているときには、不測に吊りボルト１から係合作用を解くようなことはなく、安定して係合作用を維持することができる。
【００２５】
足場板架け渡し桟１０は、図２に示すように、上横片１０ａと縦片１０ｂと下横片１０ｃと上下横片１０ａ，１０ｃの先端部に互いに対向して突出する補強リブ１０ｄ，１０ｅとからなるリブ付きＣ形チャンネル材（鋼板）からなのもので、この強度の高い足場板架け渡し桟１０を桟支持ブラケット９の上記中空部９ｄに挿入されて、足場板架け渡し桟１０は、桟支持ブラケット９の中空部９ｄ周囲の上横片９ａ及び下横片９ｃに接当して支持される。
【００２６】
しかも、桟支持ブラケット９の縦片９ｂに雌ねじ孔１８が設けられ、この雌ねじ孔１８に桟押しボルト１７を桟支持ブラケット９の中空部９ｄにねじ込むようになっており、この桟押しボルト１７は足場板架け渡し桟１０を吊りボルト１側に押圧するようになっており、図３の（ｂ）に示すように、足場板架け渡し桟１０の縦片１０ｂが、桟支持ブラケット９の中空部９ｄを貫通する吊りボルト１と桟押しボルト１７とに挟まれて押圧支持されるから、足場板架け渡し桟１０は、この桟押しボルト１７によっても桟支持ブラケット９に強力に支持されることになる。
【００２７】
すなわち、上記の空隙部７に露呈して隣り合う各吊りボルト１，１に、該吊りボルト１の横側から係合可能な桟支持ブラケット９を取り付け、隣り合う各吊りボルト１，１に取り付けられた各桟支持ブラケット９，９間にわたって長尺な足場板架け渡し桟１０を取り付け、隣り合う吊りボルト１，１間に桟支持ブラケット９，９を介して取り付けた足場板架け渡し桟１０の長手方向に直交する前後に隣り合って並列して取り付けた前後の足場板架け渡し桟１０，１０間にわたって足場板８を架け渡し載置するだけで、足場板８を既設の空隙部７に容易に設置することができる。
【００２８】
そして、足場板８での工事作業が終われば、足場板架け渡し桟１０を桟支持ブラケット９から取り外し、桟支持ブラケット９と吊りボルト１との係合を解けばよいから、足場板８の設置後の解体作業も容易迅速に行うことができる。
【００２９】
しかも、吊りボルト１に係合する桟支持ブラケット９と、該桟支持ブラケット９にその長手方向から挿入して取り付ける足場板架け渡し桟１０とを用意すればよいから足場板８を安価に空隙部７に設置することができる。
【符号の説明】
【００３０】
Ｓ          天井部
１          吊りボルト
１ａ        吊りボルト１の下端部
２          ハンガー
３          野縁受け
４          野縁
５          天井材
６          天井材下地構成部材
７          空隙部
８          足場板
９          桟支持ブラケット
９ａ        上横片
９ｂ        縦片
９ｃ        下横片
９ｄ        中空部
１０        足場板架け渡し桟
１１        ブラケット係合孔
１２        上部座金
１３        下部座金
１４        座金係合孔
１５        上部割りナット
１６        下部割りナット
１７        桟押しボルト
１８        雌ねじ孔
１９        下向き掛合突起
２０        上向き掛合突起
２１        枢着部
２２        分割ナット片
２２ａ      掛合凹凸部
２３        分割ナット片
２３ａ      掛合凹凸部
【図１】
0003206551.tif 000003
【図２】
0003206551.tif 000004
【図３】
0003206551.tif 000005